(57)【特許請求の範囲】
【請求項１】
複数の誘電体シートを積層した積層体と、この積層体の側面に設けられた送信端子、受信端子、アンテナ端子及び接地端子と、前記積層体の上層側にその略全面に設けられるとともに前記接地端子と接続されたシールド電極と、前記積層体の下層側にその略全面に設けられるとともに前記接地端子と接続されたアース電極と、前記シールド電極とアース電極間の誘電体層部分に設けられるとともに前記アンテナ端子と送信端子間を接続する送信フィルタと、前記シールド電極とアース電極間の誘電体層部分に設けられるとともに前記アンテナ端子と受信端子間を接続する受信フィルタと、前記送信フィルタを形成する内部電極および一端が前記接地端子に接続された一端短絡型のストリップラインと、前記受信フィルタを形成する内部電極および一端が前記接地端子に接続された一端短絡型のストリップラインとを備え、前記送信側のストリップラインが接続された第１の接地端子と、前記受信側のストリップラインが接続された第２の接地端子とは前記積層体の同一側面に形成するとともに、前記第１、第２の接地端子を分離して配置し、前記第１の接地端子と前記第２の接地端子との間には前記各内部電極及び前記各ストリップラインと分離した浮き端子を設けた積層型共用器。
【発明の詳細な説明】
【０００１】
【発明の属する技術分野】
本発明は通信機器等に用いられる積層型共用器に関するものである。
【０００２】
【従来の技術】
一般に積層型共用器は、複数の誘電体シートを積層した積層体の内層部分に一端がアンテナ端子に接続された送信フィルタと受信フィルタとを有しており、送信フィルタと受信フィルタのそれぞれはそれぞれ一端が前記積層体の一側面に設けられた接地端子に接続された一端短絡型のストリップラインで形成されていた。
【０００３】
【発明が解決しようとする課題】
しかしながら、送信フィルタと受信フィルタを形成するストリップラインがそれぞれ同じ接地端子に短絡されることで、送信フィルタと受信フィルタの干渉度合いが大きくなり、その結果として積層型共用器における送、受信端子間のアイソレーション特性が悪くなってしまうという問題があった。
【０００４】
そこで本発明はこのような問題を解決し、送、受信端子間のアイソレーション特性の良い積層型共用器及びその調整方法を提供するものである。
【０００５】
【課題を解決するための手段】
そして、この目的を達成するために本発明の請求項１に記載の発明は、送信フィルタを形成するストリップラインが接続される接地端子と、受信フィルタを形成するストリップラインが接続される接地端子とを、それぞれ独立して形成することで磁界結合のもっとも強いストリップラインの短絡端側の結合を抑制することができ、結果として積層型共用器において重要となる送信端子と受信端子間のアイソレーション特性を向上させ、接地端子間に独立した浮き電極を介在させることで接地端子間の結合がコンデンサの直列接続による結合となり、その結合容量を小さくすることができる。
【０００６】
【発明の実施の形態】
以下、本発明の一実施の形態について図を用いて説明する。
【０００７】
図１は積層型共用器の斜視図である。この積層型共用器は矩形状からなる複数の誘電体シート１ａ〜１ｅを積層した積層体１で形成され、その側面にはアンテナ端子２、送信端子３、受信端子４及び接地端子５ａ〜５ｄが設けられ、積層体１の内層部分においては各誘電体シート１ａ〜１ｅ上にそれぞれ後述する所定の内部電極が設けられて図２に示す積層型共用器の電気回路を形成している。
【０００８】
そして、この積層体１の内層部分を図３に示す。誘電体シート１ａ上には、その略全面に各接地端子５ａ〜５ｄと接続されたアース電極６が形成されている。
【０００９】
誘電体シート１ｂ上には、送信端子３と接続された送信側入出力電極７、受信端子４と接続された受信側入出力電極８、アンテナ端子２に接続されたアンテナ側入出力電極９ａ，９ｂが設けられている。
【００１０】
誘電体シート１ｃ上には、左側部分において一端が接地端子５ａに接続され他端が反対側にある接地端子５ｃ側に向けて伸びる一端短絡型のストリップライン１０ａ，１０ｂが形成され、左側のストリップライン１０ａが送信側入出力電極７と対向して図２における入出力容量１１を形成し、右側のストリップライン１０ｂがアンテナ側入出力電極９ａと対向して図２における入出力容量１２を形成している。
【００１１】
また、右側部分において一端が接地端子５ｂに接続され他端が反対側にある接地端子５ｄ側に向けて伸びる一端短絡型のストリップライン１３ａ，１３ｂが形成され、右側のストリップライン１３ａが受信側入出力電極８と対向して図２における入出力容量１４を形成し、左側のストリップライン１３ｂがアンテナ側入出力電極９ｂと対向して図２における入出力容量１５を形成している。
【００１２】
なお、ストリップライン１０ａ，１０ｂおよびストリップライン１３ａ，１３ｂはそれぞれ隣り合うことで電磁界結合している。
【００１３】
誘電体シート１ｄ上には、接地端子５ａ，５ｃに接続されるとともにストリップライン１０ａ，１０ｂを覆うように設けられたシールド電極１６ａと、接地端子５ｂ，５ｄに接続されるとともにストリップライン１３ａ，１３ｂを覆うように設けられたシールド電極１６ｂが設けられている。
【００１４】
なお、この誘電体シート１ｄ上には、シールド電極１６ａ，１６ｂの保護層として回路電極を有していない誘電体シート１ｅが設けられている。
【００１５】
以上のようにこの積層型共用器においては、積層体１の左側部分に図２における送信フィルタブロック１７が形成され、積層体１の右側部分に図２における受信フィルタブロック１８が形成された構成となっている。
【００１６】
そして、積層体１の同一側面に設けられた接地端子５ａ，５ｂは、接地端子５ａが送信側のストリップライン１０ａ，１０ｂの短絡電極として、接地端子５ｂが受信側のストリップライン１３ａ，１３ｂの短絡電極として用いられるものとなっており、これらの接地端子５ａ，５ｂが分離した状態で配置されたことにより、各ストリップラインの磁界結合のもっとも強い短絡端側の結合を抑制することができ、結果として積層型共用器において重要となる送信端子３と受信端子４間のアイソレーション特性を向上させることができるのである。
【００１７】
また、この積層体１においては接地端子５ａ，５ｂ間には、図２に示す各電気回路やグランドを形成せず、他の回路電極から独立した浮き電極１９が設けられている。これは、接地端子５ａ，５ｂを分離しても電極が互いに隣接しているため容量結合し易く、この間に浮き電極１９を介在させることでコンデンサの直列接続による結合となりその結合容量を小さくできるのである。
【００１８】
また、この浮き電極１９はアンテナ端子２と対称位置に設けることで、誘電体シート１ａ，１ｅの方向性をなくせるので製造時のコストダウンをはかることができる。すなわち、積層体１の側面に設けられる各端子は、外部接続用の電極として用いられるものであり、積層体１の上下面にも回り込むように形成されるため、この各端子が積層体１の中央に対して対称位置に配置できれば、誘電体シート１ａ，１ｄを積み重ねる際に、誘電体シート１ａ，１ｄの上下面の確認だけ行えば、他の方向性に確認をする必要がなくなる。
【００１９】
さらに、シールド電極１６ａ，１６ｂについてみれば、シールド電極１６ａは図２に示す送信フィルタブロック１７のみを覆うように形成され、シールド電極１６ｂは図２に示す受信フィルタブロック１８のみを覆うように形成されて、シールド電極１６ａ，１６ｂは互いに独立するように形成されている。そして、シールド電極１６ａ，１６ｂをこのような構成としたことで、積層型共用器における送信端子３と受信端子４間のアイソレーション特性をさらに向上させることができる。
【００２０】
すなわち、シールド電極１６ａ，１６ｂは、それぞれ送信フィルタブロック１７或いは受信フィルタブロック１８を形成する部分の略全面を覆うよう設けられたものであり、各ストリップラインの短絡端部分においても同様に設けられている。そして、この短絡端部分における送受間の結合を抑制するという上述した端子電極５ａ，５ｂを分離させるのと同様にシールド電極１６ａ，１６ｂを分離、特にこの短絡端部分を分離させることでさらなるアイソレーション特性を向上させることができるのである。
【００２１】
また、送受間の結合を抑制する上においては、シールド電極１６ａ，１６ｂ間に位置する部分を非誘電体形成部（特に図示せず）とすることでその部分において誘電率が低下し、さらに特性向上が望めるのである。
【００２２】
なお、上述した一実施の形態においては、端子電極５ａ，５ｂやシールド電極１６ａ，１６ｂは初期状態として分離したものを記載しているが、初期状態としてこれらの各電極が接続状態のものであったとしても、その特性によって各電極間をトリミングすることで積層型共用器にアイソレーション特性を調整できるのである。
【００２３】
すなわち、誘電体シートを積み重ねた構造の積層型共用器は、量産において各製品の積み重ね精度に差が生じてしまい電気特性が異なってしまう。そして、このような差分においてアイソレーション特性が悪くなってしまったものに対して、図３に示すストリップライン１０ｂ，１３ｂ間に位置する接地端子部分をトリミングして図１に示す接地端子５ａ，５ｂのように双方を分離させたり、ストリップライン１０ｂ，１３ｂ間に位置するシールド電極部分をトリミングしてシールド電極１６ａ，１６ｂのように双方を分離させることで上述したようにアイソレーション特性が向上するよう調整できるのである。
【００２４】
【発明の効果】
以上のように本発明によれば、送信フィルタ、受信フィルタそれぞれのストリップラインに対して、個別に接地端子を設けることにより、送信端子と受信端子間のアイソレーション特性を向上させることができるのである。
【図面の簡単な説明】
【図１】  本発明の一実施の形態における積層型共用器の斜視図
【図２】  同積層型共用器の等価回路図
【図３】  同積層型共用器の分解斜視図
【符号の説明】
１  積層体
１ａ〜１ｅ  誘電体シート
２  アンテナ端子
３  送信端子
４  受信端子
５ａ  第１の接地端子
５ｂ  第２の接地端子
６  アース電極
１０ａ，１０ｂ  ストリップライン
１３ａ，１３ｂ  ストリップライン
１６ａ，１６ｂ  シールド電極
【図１】
0004228534.tif 000002
【図２】
0004228534.tif 000003
【図３】
0004228534.tif 000004